(57)【要約】【課題】入賞口に対する不正な開放を確実に防止することのできる遊技機を提供することを目的とする。【解決手段】遊技球を貯留するとともに当該貯留された遊技球を所定の発射位置へ供給する上皿部４と、上皿部４の壁面（すなわち上皿４ａを構成する部分であって、当該上皿４ａの底面から立ち上がった部分）の背面全体を覆うように配置され、耐熱性を有する上皿補強部材３００とを備えている。【選択図】        図１１
2006238955.tif 000002
【特許請求の範囲】
【請求項１】
遊技球を貯留するとともに当該貯留された遊技球を所定の発射位置へ供給する上皿を備えた遊技機であって、
前記上皿の壁面の背面全体を覆うように配置され、耐熱性を有する上皿補強部材を備えた
ことを特徴とする遊技機。
【請求項２】
前記上皿補強部材は、接地電位とされ除電する機能を有する
ことを特徴とする請求項１記載の遊技機。
【請求項３】
前記上皿には、当該上皿の壁面の背面側から遊技機本体部に向かって突出する球排出部が設けられ、
前記上皿補強部材には、前記球排出部との協働によって当該上皿補強部材の移動を規制する移動規制部が設けられている
ことを特徴とする請求項１または２記載の遊技機。
【請求項４】
前記移動規制部は、前記上皿補強部材に形成された開口部である
ことを特徴とする請求項３記載の遊技機。
【発明の詳細な説明】
【技術分野】
【０００１】
本発明は、上皿を有する遊技機に関するものである。
【背景技術】
【０００２】
従来、遊技機、特にパチンコ遊技機は、合成樹脂（例えばプラスチック）で形成され遊技球を貯留する貯留皿（上皿）を備えている。この上皿は、払出装置から払い出された遊技球を一時的に貯留し、この貯留された遊技球を発射装置に供給するものである。
【０００３】
このような従来の遊技機には、ガラス枠と上皿とをかみ合わせるために当該上皿の軸の上部に穴を有する遊技機もある。
【０００４】
しかし、上皿の軸の上部に穴を有する遊技機では、当該上皿の軸の上部の穴からピアノ線や細い針金を挿入して、アタッカー（大入賞口）やチューリップ（始動入賞口）を不正に開放させること（いわゆるゴト行為）が可能であり、このような不正行為による遊技球の払出しが行われる虞があった。
【０００５】
このような不正行為に対処すべく、断面がほぼコの字形を形成し、かみ合わせレール（上皿側のレール）に密着するレール密着部と、レール密着部の断面が形成するコの字形の端の一部位に対してほぼ直角に曲がって延びた支持部を有する遊戯装置部品を設けるようにした遊技機が知られている（例えば特許文献１参照）。
【０００６】
この特許文献１に記載の遊技機では、故意に上皿の軸の上部の穴からピアノ線や細い針金を挿入しようとしても、当該ピアノ線や細い針金は遊戯装置部品（の表面や側面）に当たって当該遊技機内に侵入することができない。これにより、アタッカーやチューリップの不正開放が防止される。
【特許文献１】特開２００３−３４００７５号公報
【発明の開示】
【発明が解決しようとする課題】
【０００７】
しかしながら、上記特許文献１に記載の遊技機では、貯留皿（上皿）は合成樹脂（例えばプラスチック）で形成されているので、当該合成樹脂（上皿）が溶ける程度の温度に熱せられた針金（高温に熱せられた針金）を当該上皿の所定の部位に向かって挿入した場合には、当該上皿の所定の部位が溶けることに起因して当該所定の部位に貫通孔が形成されるので、当該高温に熱せられた針金はアタッカー（大入賞口）やチューリップ（始動入賞口）まで達することが可能となり、これにより、当該高温に熱せられた針金によってアタッカーやチューリップなどの入賞口を不正に開放させることが可能である。勿論、上述したようにして形成された上皿の貫通孔に、ピアノ線や細い針金を挿入して、アタッカーやチューリップを不正に開放させることも可能である。
【０００８】
そこで、本発明は、入賞口に対する不正な開放を確実に防止することのできる遊技機を提供することを目的とする。
【課題を解決するための手段】
【０００９】
上記課題を解決するため、請求項１に記載の本発明の遊技機は、遊技球を貯留するとともに当該貯留された遊技球を所定の発射位置へ供給する上皿を備えた遊技機であって、前記上皿の壁面の背面全体を覆うように配置され、耐熱性を有する上皿補強部材を備えたことを特徴とする。
【００１０】
このように、上皿の壁面の背面全体を覆うように、耐熱性を有する上皿補強部材が配置されるようになっているので、合成樹脂で形成された上皿が溶ける程度の温度に熱せられた針金（高温に熱せられた針金）を上皿から挿入したとしても当該上皿補強部材は溶けることはなく、よって当該高温に熱せられた針金は、アタッカーやチューリップなどの入賞口まで達することができず、これにより、高温に熱せられた針金を使用した入賞口に対する不正行為が行われるような場合であっても、入賞口に対する不正な開放を確実に防止することが可能になる。
【００１１】
請求項２に記載の本発明は、請求項１に記載の発明の構成に加えて、前記上皿補強部材は、接地電位とされ除電する機能を有することを特徴とする。
【００１２】
このように、上皿補強部材は接地電位とされ除電する機能を有しているので、上皿や遊技球に蓄積された静電気を除電することが可能になる。
【００１３】
請求項３に記載の本発明は、請求項１または２に記載の発明の構成に加えて、前記上皿には、当該上皿の壁面の背面側から遊技機本体部に向かって突出する球排出部が設けられ、前記上皿補強部材には、前記球排出部との協働によって当該上皿補強部材の移動を規制する移動規制部が設けられていることを特徴とする。
【００１４】
このように、上皿補強部材は、当該上皿補強部材に設けられた移動規制部と上皿に設けられた球排出部との協働によって、当該上皿補強部材の移動が規制されるようになっているので、上皿補強部材の移動を規制することが可能になる。
【００１５】
請求項４に記載の本発明は、請求項３に記載の発明の構成に加えて、前記移動規制部は、前記上皿補強部材に形成された開口部であることを特徴とする。
【００１６】
このように、上皿補強部材は、当該上皿補強部材に設けられた開口部を上皿に設けられた球排出部に嵌め込むことで、当該上皿補強部材の移動が規制されるようになっているので、上皿の壁面の背面全体に対する上皿補強部材の位置合わせを容易に行うことが可能になる。
【発明の効果】
【００１７】
本発明によれば以下の効果を奏することができる。
【００１８】
すなわち、本発明によれば、上皿の壁面の背面全体を覆うように、耐熱性を有する上皿補強部材が配置されるようになっているので、合成樹脂で形成された上皿が溶ける程度の温度に熱せられた針金（高温に熱せられた針金）を上皿から挿入したとしても当該上皿補強部材は溶けることはなく、よって当該高温に熱せられた針金は、アタッカーやチューリップなどの入賞口まで達することができず、これにより、高温に熱せられた針金を使用した入賞口に対する不正行為が行われるような場合であっても、入賞口に対する不正な開放を確実に防止することが可能になる。
【発明を実施するための最良の形態】
【００１９】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２０】
図１は本発明の一実施の形態である遊技機を示す斜視図、図２は図１の遊技機の正面を示す正面図、図３は図２の遊技機に用いられる遊技盤の正面を示す正面図、図４は本実施の形態に係る上皿補強部材を説明する斜視図、図５は本実施の形態に係る上皿補強部材を説明する斜視図、図６は本実施の形態に係る上皿補強部材を説明する斜視図、図７は開口孔である第２の払出口に除電部材が取り付けられた遊技機を遊技盤を取り除いた状態で示す斜視図、図８は第２の上部払出口に取り付けられた除電部材を示す斜視図、図９は図１の遊技機におけるガラス扉、上皿部および下皿部の内部構造を示す図、図１０は上皿部と上皿補強部材との関係を説明する斜視図、図１１は上皿部と上皿補強部材との関係を説明する斜視図である。
【００２１】
図１および図２に示すように、パチンコ遊技機（遊技機）１は、遊技店の島設備に取り付けられる外枠９と、該外枠９に支持され、遊技の実行のときに必要な所定の機構が取り付けられる本体１０と、遊技盤２１の背後に設けられ、本体１０に対しこの本体１０の表面側から取り付けられる表示装置としての液晶表示装置（図せず）と、この本体１０に取り付けられるガラス扉３、上皿部４、下皿部５、カバー６およびハンドル７とを備えている。
【００２２】
図１および図２に示すように、ガラス扉３と上皿部４とは一体化されて形成されており、この一体化された開閉扉（開閉体）２３は、その一端が本体１０に回動可能に軸支され、他端が本体１０に係合するようになっている。ガラス扉３は、遊技盤２１を視認可能に覆うものである。
【００２３】
上皿部４はガラス扉３の下側に位置し、払い出された遊技球および遊技領域に打ち込まれる遊技球を貯留するとともに当該貯留された遊技球を所定の発射位置へ供給する上皿４ａを有している。上皿部４の所定の位置に、遊技終了時などにおいて上皿４ａに貯留された遊技球を後述する下皿５ａに移動させて取り出す場合に操作されるシャッタレバー８が設けられている。
【００２４】
上皿部４の下側に位置する下皿部５は、本体１０に固定されており、払い出しにより上皿４ａからオーバーフローした遊技球が貯留される下皿５ａを有している。
【００２５】
下皿部５の右側に設けられたハンドル７は、外レール１１ａおよび内レール１１ｂ（図３参照）を介して遊技盤２１の遊技領域２１ａへ遊技球を打ち込む際に回動操作されるものであり、遊技球の発射を停止させるストップボタン（図示せず）が設けられている。
【００２６】
ガラス扉３の上側に位置するカバー６は本体１０に固定されており、カバー６の左方部６ａおよび右方部６ｂは、本体１０に設けられる左右のスピーカ（図示せず）にそれぞれ対応して、スピーカからの音声が聞こえるような構造になっている。
【００２７】
液晶表示装置（図示せず）は、演出画像（例えば、遊技状態に対応したアニメーションやその他の報知情報など）等を表示可能な表示領域を備えている。
【００２８】
遊技盤２１は、図３に示すように、外レール１１ａおよび内レール１１ｂに包囲され、遊技球の流下が可能な遊技領域２１ａを有している。そして、その遊技領域２１ａには、多数の遊技くぎや風車などの障害物（図示せず）、一般入賞口１２、通過ゲート１３、可変入賞装置である大入賞口（アタッカー）１５、アウト口１６、始動入賞口１４および始動入賞口（チューリップ）１７を有する電動役物構成部材１８からなる遊技部材が配置されている。
【００２９】
この実施の形態では、遊技盤２１は、透明部材（透光性部材）で形成されており、液晶表示装置（図示せず）を視認可能に本体１０に対しこの本体１０の表面側から取り付けられている。
【００３０】
この実施の形態では、開閉扉２３は、図１に示すように、図４に示す前面枠１００に対し、ガラス扉３と例えば合成樹脂で形成された上皿部４とが当該前面枠１００の表面側から取り付けられた構成になっている。具体的には、ガラス扉３のガラス窓３ａが形成された前面枠１００における当該ガラス窓３ａの下部に、上皿部４が取り付けられた構造になっている。ちなみに、ガラス窓３ａには、ガラスが取り付けられる。
【００３１】
前面枠１００の背面（裏面）には、図４および図５に示すように、当該前面枠１００の背面（裏面）から突出する球排出部２００が一体成形されている。
【００３２】
また、前面枠１００の背面（裏面）には、後述する上皿補強部材３００を固定するためのビスが螺合される４つの螺合部１０２，１０３，１０４，１０５が設けられている。
【００３３】
さらに、前面枠１００の背面（裏面）には、上皿部４の壁面（すなわち上皿４ａを構成する部分であって、当該上皿４ａの底面から立ち上がった部分）の背面全体を覆うように、上皿補強部材３００が取り付けられる（配置される）ようになっている。
【００３４】
上皿補強部材３００は、耐熱性を有するとともに導電性を有する金属で形成され、アース線（図示せず）を介して接地されている。そのため、上皿補強部材３００は、接地電位とされ除電する機能を有している。また、上皿補強部材３００は、少なくとも、合成樹脂で形成された上皿部４が溶ける程度の温度以上の熱に対しは耐熱性を有している必要がある。
【００３５】
また、上皿補強部材３００は、図４および図５に示すように、球排出部２００との協働によって当該上皿補強部材３００の移動を規制する移動規制部３０１を有している。この実施の形態では、移動規制部３０１は、上皿補強部材３００に形成された開口部としている。
【００３６】
さらに、上皿補強部材３００には、当該上皿補強部材３００を前面枠１００にネジ止めするために、前面枠１００に設けられた４つの螺合部１０２〜１０５に対応する位置に４つの取付部３０２，３０３，３０４，３０５が設けられている。
【００３７】
そして、上皿補強部材３００は、図６に示すように、当該上皿補強部材３００に設けられている開口部（移動規制部）３０１が、前面枠１００と一体成形されている球排出部２００に嵌め込まれることにより、上皿部４の壁面の背面全体に対する位置決め（位置合わせ）が行われる。この状態で、４つのネジを、取付部３０２，３０３，３０４，３０５を介して螺合部１０２，１０３，１０４，１０５にネジ止めすることで、上皿補強部材３００と前面枠１００の背面とは密着されることになる。
【００３８】
なお、本実施の形態では、上皿補強部材３００は、金属で形成されている構成としているが、本発明はこれに限定されることなく、耐熱性および導電性を有する材料で形成されていればよい。
【００３９】
この場合も、耐熱性および導電性を有する上皿補強部材３００は、アース線を介して接地され、接地電位とされ除電する機能を有する必要がある。
【００４０】
次に、前面枠１００に設けられる第２の上部払出口（払出口）１８ｂの閉鎖構造について、図７〜図９を参照して説明する。
【００４１】
封入式パチンコ遊技機として使用する場合には、図７に示すように、開口孔である第２の上部払出口１８ｂには、この第２の上部払出口１８ｂを閉塞して金属製の除電部材５０を取り付けることができる。なお、除電部材５０は導電性を有していればよく、金属製である必要はない。図７において符号３は、前面扉１００の背面におけるガラス扉に相当する部位を示している。
【００４２】
図８に示すように、除電部材５０は、第２の上部払出口１８ｂに嵌り込んで上皿４ａの前方を向いた内壁面と同一面を形成する箱形の突出部５０ａと、この突出部５０ａの両側に形成された２カ所の基部５０ｂとからなる。基部５０ｂは、突出部５０ａの先端から略９０°山形に折れ曲がり、さらに略９０°谷形に折れ曲がって連続するように形成されており、雄ねじやビスなどの固定部材が貫通する貫通孔５０ｃを有している。
【００４３】
図９に示すように、除電部材５０は上皿部４の裏面側から開口孔である第２の上部払出口１８ｂに嵌め込まれてこの第２の上部払出口１８ｂを閉塞しており、貫通孔５０ｃを貫通した固定部材により上皿部４に固定されている。
【００４４】
また、同図に示すように、上皿部４の裏面側には、第１の上部払出口１８ａおよび第２の上部払出口１８ｂに対応した部分が打ち抜かれた形状の上部補強部材３００が固定されている。この上部補強部材３００は電気的に接地されており、前述した除電部材５０はこの上部補強部材３００と接した状態で固定されている。したがって、除電部材５０もまた、接地電位となっている。
【００４５】
このように、本実施の形態のパチンコ遊技機１は、ホールに広く設置された遊技球を払い出す方式のパチンコ遊技機（払出式パチンコ遊技機）と、機内に封入された遊技球が循環して使用される方式のパチンコ遊技機（封入式パチンコ遊技機）との兼用型となっている。
【００４６】
そして、封入式パチンコ遊技機として使用される場合には、第１の上部払出口１８ａは閉鎖されて第２の上部払出口１８ｂから遊技球が払い出される。また、払出式パチンコ遊技機として使用される場合には、第１の上部払出口１８ａから遊技球が払い出されて第２の上部払出口１８ｂは不要になることから、前述のように、開口孔としての第２の上部払出口１８ｂに除電部材５０を取り付けるようにしたものである。
【００４７】
但し、本発明の遊技機は、このような兼用型の遊技機に限定されるものではなく、専用の払出式パチンコ遊技機に第２の上部払出口１８ｂを形成し、ここに除電部材５０を取り付けるようにしてもよいことは勿論である。
【００４８】
このようなパチンコ遊技機１によれば、上皿４ａに向けて形成された開口孔である第２の上部払出口１８ｂを閉塞するようにして除電部材５０を配置したので、極めて簡単な取付構造となり、除電部材５０の組み付け作業を容易に行うことが可能になる。
【００４９】
なお、第２の上部払出口１８ｂは上皿４ａに向けて形成されていれば足り、必ずしも本実施の形態のように上皿４ａの前方を向いた内壁面に形成されていなくてもよい。但し、上皿４ａの前方を向いた内壁面に形成されていれば、上皿４ａに大量の遊技球が貯留されて上皿４ａから浮き上がった遊技球の静電気も除去されるので、静電気の除去をより効果的に行うことができる。
【００５０】
また、除電部材５０は、必ずしも上皿４ａの前方を向いた内壁面と同一面を形成するようなっていなくてもよいが、同一面となるようにすれば、上皿４ａから順次発射位置に案内されていく遊技球の流れを阻害することがなく、球詰まり発生の要因を未然に除去することができる。
【００５１】
以上説明したように、本実施の形態では、図１０および図１１に示すように、上皿部４の壁面（すなわち上皿４ａを構成する部分であって、当該上皿４ａの底面から立ち上がった部分）の背面全体を覆うように（前面枠１００を介して上皿部４の壁面の背面全体を覆うように）、耐熱性を有する上皿補強部材３００が配置されるようになっているので、合成樹脂で形成された上皿部４が溶ける程度の温度に熱せられた針金（高温に熱せられた針金）を上皿部から挿入したとしても当該上皿補強部材３００は溶けることはなく、よって当該高温に熱せられた針金は、アタッカーやチューリップなどの入賞口まで達することができず、これにより、高温に熱せられた針金を使用した入賞口に対する不正行為が行われるような場合であっても、入賞口に対する不正な開放を確実に防止することができる。
【００５２】
また、上皿補強部材３００は、アース線（図示せず）を介して接地されているので、接地電位とされ除電する機能を有することとなり、これにより上皿部４に蓄積された静電気や遊技球に蓄積された静電気を除電することができる。
【００５３】
さらに、上皿補強部材３００は、当該上皿補強部材３００に設けられた移動規制部３０１と前面枠１００に設けられた球排出部２００との協働によって、当該上皿補強部材３００の移動が規制されるようになっているので、上皿補強部材３００の移動を規制することができる。
【００５４】
さらに、上皿補強部材３００は、当該上皿補強部材３００に設けられた開口部３０１を前面枠１００に設けられた球排出部２００に嵌め込むことで、当該上皿補強部材３００の移動が規制されるようになっているので、上皿部４の壁面の背面全体に対する上皿補強部材３００の位置合わせを容易に行うことができる。
【産業上の利用可能性】
【００５５】
以上の説明においては、本発明をパチンコ遊技機本体が遊技台に取り付けられた遊技機に適用した場合が説明されているが、本発明はこれに限定されるものではなく、パチスロ遊技機（スロットマシン）、雀球、スマートボールあるいはゲームセンターに設置された各種のゲーム機など、種々の遊技機に適用することが可能である。
【図面の簡単な説明】
【００５６】
【図１】本発明の一実施の形態である遊技機を示す斜視図である。
【図２】図１の遊技機の正面を示す正面図である。
【図３】図２の遊技機に用いられる遊技盤の正面を示す正面図である。
【図４】本実施の形態に係る上皿補強部材を説明する斜視図である。
【図５】本実施の形態に係る上皿補強部材を説明する斜視図である。
【図６】本実施の形態に係る上皿補強部材を説明する斜視図である。
【図７】開口孔である第２の払出口に除電部材が取り付けられた遊技機を遊技盤を取り除いた状態で示す斜視図である。
【図８】第２の上部払出口に取り付けられた除電部材を示す斜視図である。
【図９】図１の遊技機におけるガラス扉、上皿部および下皿部の内部構造を示す図である。
【図１０】上皿部と上皿補強部材との関係を説明する斜視図である。
【図１１】上皿部と上皿補強部材との関係を説明する斜視図である。
【符号の説明】
【００５７】
１  遊技機
３  ガラス扉
３ａ  ガラス窓
４  上皿部
４ａ  上皿
５  下皿部
５ａ  下皿
６  カバー
７  ハンドル
９  木枠
１０  本体
１２  一般入賞口
１３  通過ゲート
１４，１７  始動入賞口
１５  大入賞口
１８  電動役物構成部材
１８ａ  第１の上部払出口
１８ｂ  第２の上部払出口
１９  下部払出口
２１  遊技盤
２１ａ  遊技領域
２３  開閉扉
５０  除電部材
１００  前面枠
１０２，１０３，１０４，１０５  螺合部
２００  球排出部
３００  上皿補強部材
３０１  移動規制部（開口部）
３０２，３０３，３０４，３０５  取付部
【図１】
2006238955.tif 000003
【図２】
2006238955.tif 000004
【図３】
2006238955.tif 000005
【図４】
2006238955.tif 000006
【図５】
2006238955.tif 000007
【図６】
2006238955.tif 000008
【図７】
2006238955.tif 000009
【図８】
2006238955.tif 000010
【図９】
2006238955.tif 000011
【図１０】
2006238955.tif 000012
【図１１】
2006238955.tif 000013